(57)【要約】【課題】サイン波ジッタを正確に印加するために必要な補正値をより高速に取得する。【解決手段】直交変調器１１は、キャリア周波数毎に可変設定される変調量により基準クロックを変調する。位相比較器１３は、基準クロックの変調前後の信号の位相を比較する。Ａ／Ｄ変換部１４は、位相比較器１３の位相差に応じた電圧を出力する。制御部１６は、基準クロックの変調前後の位相差が３６０°となるＡ／Ｄ変換部１４の２点の電圧値から理想直線を算出し、変調量をキャリア周波数毎に所定ステップずつ可変設定したときのＡ／Ｄ変換部１４から出力される電圧と理想直線上の対応する電圧との差に基づいて補正値を取得する。記憶部１５は、制御部１６が取得した補正値を保存する。【選択図】図１
2012044284.tif 000002
【特許請求の範囲】
【請求項１】
基準クロックを変調する直交変調器（１１）と、
前記基準クロックの変調前後の信号の位相を比較する位相比較器（１３）と、
前記基準クロックの変調前後の位相差が３６０°となる２点の電圧値から位相が１周期変化した時の理想直線を算出し、前記変調量を前記キャリア周波数毎に所定ステップずつ可変設定したときの電圧と前記理想直線上の対応する電圧との差に基づいて補正値を取得する制御部（１６）とを備えたことを特徴とする補正値取得装置。
【請求項２】
基準クロックの変調前後の信号の位相を比較し、位相差が３６０°となる２点の電圧値から位相が１周期変化した時の理想直線を算出するステップと、
変調量をキャリア周波数毎に所定ステップずつ可変設定したときの電圧と前記理想直線上の対応する電圧との差に基づいて補正値を取得するステップとを含むことを特徴とする補正値取得方法。
【請求項３】
請求項１の補正値取得装置を用いたジッタ発生装置であって、
前記基準クロックを発生する基準クロック発生部（２）と、
ジッタ信号の発生を指示する操作部（３）とを備え、
前記制御部（１６）は、前記操作部によりジッタ信号の発生が指示されたときに、前記補正値取得装置で取得した補正値により変調量を補正してジッタ信号を発生することを特徴とするジッタ発生装置。
【請求項４】
請求項２の補正値取得方法を用いたジッタ発生方法であって、
前記補正値取得方法で取得した補正値により変調量を補正してジッタ信号を発生するステップを含むことを特徴とするジッタ発生方法。
【発明の詳細な説明】
【技術分野】
【０００１】
本発明は、サイン波ジッタを正確に印加するために必要な補正値をより高速に取得することができる補正値取得装置及び補正値取得方法と、この補正値取得装置及び補正値取得方法を用いて所望のサイン波ジッタを発生させることができるジッタ発生装置及びジッタ発生方法に関する。
【背景技術】
【０００２】
ディジタル伝送システムにおいて、データ信号の位相のジッタ（位相揺らぎ）や信号の時間的ズレが大きくなると、正常にデータ信号を伝達できなくなる。このため、この種のシステムで使用される電子機器やそれらに使用される部品は、ＩＴＵ−Ｔ（International Telecommunication Union-Telecommunication Standardization Sector）で規定されたジッタトレランス（耐力）規格を満足する必要がある。このジッタトレランス規格とは、所定量のジッタを有する信号を被測定装置に入力したときに、その装置が入力信号のジッタをどの程度抑圧して出力するかを表すものである。
【０００３】
ここで、ジッタ耐力を測定するためのジッタ変調された信号であるジッタ信号について図６を用いて説明する。図６に示すように、ジッタ信号ｂは、送信すべき基準信号としての基準矩形波信号ａに対して、位相が所定の変動速度で、且つ所定の変動範囲で変化する信号を示し、この位相変動の範囲、すなわち位相変動量をジッタ量と定義し、位相の変動速度を変調周波数と定義する。
【０００４】
また、ジッタ量（以下、「位相変調量」ともいう）の単位は、基準矩形波信号ａの周期（unit interval ：ＵＩ）の倍数で示す。例えば、９０°の位相変調量は０．２５ＵＩとなり、１周期のジッタ量は１ＵＩとなる。
【０００５】
ところで、上述したジッタトレランス規格を満足するジッタ量が得られるか否かを試験するためには、決まったジッタを発生することができるジッタ発生装置が必要不可欠になる。ジッタ発生装置は、基準となるクロックに所望のディレーをかけてデータに電気的なノイズを印加するものである。
【０００６】
この種のジッタ発生装置の一例として、直交変調器を用いたものが下記特許文献１に開示されている。特許文献１に開示されるジッタ発生装置５１は、図７に示すように、周波数ωのキャリア信号を出力するキャリア信号発生器５２と、変調信号Ｐ＝ｍ・ｓｉｎ（ｐｔ）を出力する変調信号発生器５３と、直交変調器５４と、直交変調器５４に直流電圧を与える直流電源５５と、直交変調器５４の出力信号を増幅するとともに、その振幅を一定に揃えるリミッタアンプ５６とを備え、キャリア信号発生器５２からのキャリア信号が直交変調器５４のＲＦ入力端子に入力され、変調信号発生器５３からの変調信号が直交変調器５４のＱ端子に入力され、直流電源５５からの直流電圧が直交変調器５４のＩ端子に入力される。
【０００７】
ところが、上述した直交変調器を用いたジッタ発生装置では、使用する直交変調器自体の感度や経年変化に伴い、発生するジッタにも変化が生じる。このため、所定周波数のキャリア信号（基準クロック信号）に対して正確にサイン波ジッタを印加するには、設定パラメータである変調周波数や変調量に加え、キャリア信号のキャリア周波数に応じた補正が必要になる。
【０００８】
そこで、従来は、ジッタ発生に必要なパラメータであるキャリア周波数、変調周波数、変調量を設定し、スペクトラムアナライザを用いて直交変調器の出力のスペクトラム成分を抽出し、この抽出したスペクトラム成分に基づき、設定されたキャリア周波数、変調周波数、変調量に対して必要なＱ端子及びＩ端子への印加電圧を補正値として算出していた。この補正値の算出は、１つのキャリア周波数を固定し、１つの変調周波数に対して変調量を所定ステップで可変し、全ての変調周波数に対してキャリア周波数毎に行い、これによって得られる補正値をテーブル化して装置内部に保存していた。
【０００９】
また、別の手法として、直交変調器の出力のスペクトラム成分に基づくジッタの分布を解析する解析ソフトを実装したデジタルオシロスコープを使用し、設定されたキャリア周波数、変調周波数、変調量に対して必要なＱ端子及びＩ端子への印加電圧を解析し、この解析によって得られる補正値をテーブル化して装置内部に保存していた。
【先行技術文献】
【特許文献】
【００１０】
【特許文献１】特開２００８−９８８９２号公報
【発明の概要】
【発明が解決しようとする課題】
【００１１】
しかしながら、従来は、補正値を取得するために、スペクトラムアナライザやデジタルオシロスコープ等の専用の外部測定器が必要不可欠であった。しかも、ジッタの発生に必要なパラメータであるキャリア周波数、変調周波数、変調量の分解能が増す分だけテーブル化される補正値の情報量も増し、コストが嵩むだけでなく、補正値の取得に手間と時間を要するという課題があった。
【００１２】
そこで、本発明は上記問題点に鑑みてなされたものであって、サイン波ジッタを正確に印加するために必要な補正値をより高速に取得することができる補正値取得装置及び補正値取得方法と、この補正値取得装置及び補正値取得方法を用いて所望のサイン波ジッタを発生させることができるジッタ発生装置及びジッタ発生方法を提供することを目的としている。
【課題を解決するための手段】
【００１３】
上記目的を達成するため、本発明の請求項１に記載された補正値取得装置は、基準クロックを変調する直交変調器１１と、
前記基準クロックの変調前後の信号の位相を比較する位相比較器１３と、
前記基準クロックの変調前後の位相差が３６０°となる２点の電圧値から位相が１周期変化した時の理想直線を算出し、前記変調量を前記キャリア周波数毎に所定ステップずつ可変設定したときの電圧と前記理想直線上の対応する電圧との差に基づいて補正値を取得する制御部１６とを備えたことを特徴とする。
【００１４】
請求項２に記載された補正値取得方法は、基準クロックの変調前後の信号の位相を比較し、位相差が３６０°となる２点の電圧値から位相が１周期変化した時の理想直線を算出するステップと、
変調量をキャリア周波数毎に所定ステップずつ可変設定したときの電圧と前記理想直線上の対応する電圧との差に基づいて補正値を取得するステップとを含むことを特徴とする。
【００１５】
請求項３に記載されたジッタ発生装置は、請求項１の補正値取得装置を用いたジッタ発生装置であって、
前記基準クロックを発生する基準クロック発生部２と、
ジッタ信号の発生を指示する操作部３とを備え、
前記制御部１６は、前記操作部によりジッタ信号の発生が指示されたときに、前記補正値取得装置で取得した補正値により変調量を補正してジッタ信号を発生することを特徴とする。
【００１６】
請求項４に記載されたジッタ発生方法は、請求項２の補正値取得方法を用いたジッタ発生方法であって、
前記補正値取得方法で取得した補正値により変調量を補正してジッタ信号を発生するステップを含むことを特徴とする。
【発明の効果】
【００１７】
本発明によれば、サイン波ジッタを正確に印加するために必要な補正値を従来よりも高速に取得することができる。しかも、スペクトラムアナライザやデジタルオシロスコープ等の専用の外部測定器が不要となり、補正値の取得にかかるコストを削減でき、手間と時間をかけずに補正値の取得を行うことができる。
【００１８】
また、補正値取得装置を用いたジッタ発生装置によれば、ジッタ信号の発生を指示することにより、補正値を取得しつつ、この取得した補正値により補正しながらジッタ発生を行うことができる。
【図面の簡単な説明】
【００１９】
【図１】本発明に係る補正値取得装置を含むジッタ発生装置のブロック図である。
【図２】補正値取得処理の手順を示すフローチャートである。
【図３】ジッタトレランス規格で規定されるパラメータグラフの一例を示す図である。
【図４】比率による補正値の算出方法に関する説明図である。
【図５】比率による補正値の算出方法に関する具体例を示す説明図である。
【図６】基準矩形波とジッタ信号との関係を示す図である。
【図７】従来のジッタ発生装置の一例を示す図である。
【発明を実施するための形態】
【００２０】
以下、本発明を実施するための形態について図面を参照しながら具体的に説明する。図１は本発明に係る補正値取得装置を含むジッタ発生装置のブロック図、図２は補正値取得処理の手順を示すフローチャート、図３はジッタトレランス規格で規定されるパラメータグラフの一例を示す図、図４は比率による補正値の算出方法に関する説明図、図５は比率による補正値の算出方法に関する具体例を示す説明図である。
【００２１】
図１に示すように、ジッタ発生装置１は、例えば被試験デバイス（Device Under Test ：ＤＵＴ）の性能試験を行うべく、ジッタトレランス規格に基づく所望のサイン波ジッタを発生させるもので、基準クロック発生部２、操作部３、表示部４、補正値取得装置５を備えて概略構成される。
【００２２】
基準クロック発生部２は、ジッタトレランス規格に基づいて操作部３からの入力により設定された所定周波数のキャリア信号として、基準クロックＣＬＫ（ジッタがかかっていないサイン波）を発生している。
【００２３】
尚、図１において、基準クロック発生部２は、ジッタ発生装置１に内蔵した構成として図示しているが、補正値取得装置５に内蔵した構成、ジッタ発生装置１に接続可能に外部に設ける構成とすることもできる。
【００２４】
操作部３は、ユーザの入力により各種操作や設定を行うもので、例えばマウスなどのポインティングデバイス、スイッチやキーが配置された操作パネル、表示部４の表示画面上に配置されたソフトキー等の入力装置で構成される。操作部３の入力による各種操作や設定としては、後述する補正値取得処理の実行を指示する「補正モード」を選択する操作、補正値取得処理を実行してジッタの発生を指示する「ジッタ発生モード」を選択する操作、各種パラメータ（キャリア周波数、変調量）の設定、設定画面の切り換え操作などがある。
【００２５】
表示部４は、例えば液晶表示器で構成され、操作部３の入力に基づく後述する制御部１６の制御により、各種設定画面、入力画面、発生するサイン波ジッタのモニタ波形などの表示を行っている。
【００２６】
補正値取得装置５は、サイン波ジッタを正確に印加するために必要な補正値をより高速に取得するための補正値取得機能を実現するべく、図１に示すように、直交変調器１１、分周器１２、位相比較器１３、Ａ／Ｄ変換部１４、記憶部１５、制御部１６、Ｄ／Ａ変換部１７を備えている。
【００２７】
直交変調器１１は、ＲＦ入力端子が基準クロック発生部２に接続され、Ｑ端子及びＩ端子がＤ／Ａ変換部１４に接続される。直交変調器１１は、ジッタトレランス規格に基づく範囲でキャリア周波数毎に可変設定される変調量により基準クロック発生部２からの基準クロックＣＬＫを変調してサイン波ジッタ（ジッタ信号）を出力している。
【００２８】
分周器１２は、第１分周器１２ａと第２分周器１２ｂで構成される。第１分周器１２ａは、直交変調器１１からの変調後のサイン波ジッタ（ジッタ信号）を所定の分周比で分周している。第２分周器１２ｂは、基準クロック発生部２からの変調前の基準クロックＣＬＫを第１分周器１２ａと同一の分周比で分周している。
【００２９】
位相比較器１３は、直交変調器１１の０ｄｅｇ点の原点位置が設定された状態で、第１分周器１２ａで分周された変調後のサイン波ジッタ（ジッタ信号）と、第２分周器１２ｂで分周された変調前の基準クロックＣＬＫとの排他的論理和を取り、両信号の位相差信号を出力している。また、位相比較器１３は、直交変調器１１の３６０ｄｅｇ点において、第１分周器１２ａで分周された変調後のサイン波ジッタ（ジッタ信号）と、第２分周器１２ｂで分周された変調前の基準クロックＣＬＫとの排他的論理和を取り、両信号の位相差信号を出力している。
【００３０】
本例では、後述する０ｄｅｇ点の電圧値と３６０ｄｅｇ点の電圧値とを結ぶ理想直線を得るため、位相比較器１３の前段に分周器１２を設け、Ａ／Ｄ変換部１４の電圧値が所定電圧範囲内に収まる位置、すなわち直線性の良い位相（変調量）１ＵＩに相当する箇所を直交変調器１１の０ｄｅｇ点の原点位置として用いている。
【００３１】
尚、位相（変調量）１ＵＩに相当する箇所で直線性に優れた出力が得られる位相比較器１３を使用できれば、分周器１２の構成を省くことも可能である。
【００３２】
Ａ／Ｄ変換部１４は、位相比較器１３からの位相差信号に応じた電圧値（デジタル値）を出力している。
【００３３】
記憶部１５は、ジッタトレランス規格に基づいて所定ステップの分解能で可変される変調量（例えば０．１ＵＩステップ）を、それぞれアドレスと対応付けした補正テーブルとして、キャリア周波数毎（例えば１２．５ＧＨｚ〜０．８ＧＨｚ：１００ＭＨｚステップ）に記憶している。この補正テーブルには、後述する補正値取得処理によって算出された補正値が対応するアドレスに書き込まれて保存される。また、記憶部１５は、直交変調器１１の０ｄｅｇ点及び３６０ｄｅｇ点のＡ／Ｄ変換部１４の電圧値を保存している。
【００３４】
制御部１６は、操作部３の操作に基づき、ジッタ発生及び補正値取得に係わる各部を統括制御もので、後述する図２の補正値取得処理（０ｄｅｇ点の原点位置の決定、直交変調器１１のＩＱ電圧制御、０ｄｅｇ点及び３６０ｄｅｇ点での電圧値の読み取り、位相（変調量）が１周期（１ＵＩ）変化した時の理想直線の算出、取得電圧と理想直線上の理想電圧との差に基づく補正値の演算、補正値を取得していない領域の補間計算処理、キャリア周波数、変調量の可変制御など）の実行、表示部４の表示制御などを行っている。
【００３５】
Ｄ／Ａ変換部１７は、Ｑ側Ｄ／Ａ変換部１７ａとＩ側Ｄ／Ａ変換部１７ｂからなり、操作部３の設定入力に基づく制御部１６の制御により、直交変調器１１のＱ端子に入力されるＱ信号の電圧及びＩ端子に入力されるＩ信号の電圧、すなわちＩＱ電圧を０ｄｅｇから３６０ｄｅｇまで所定ステップ（例えば１００ｍＵＩ）で可変している。
【００３６】
次に、上記のように構成されるジッタ発生装置１の補正値取得装置５が実行する補正値取得処理について図２を参照しながら説明する。
【００３７】
尚、以下の説明では、操作部３の初期設定により、「補正値取得モード」が選択され、直交変調器１１のＩＱ電圧が０ｄｅｇ点の電圧値に設定され、キャリア周波数が上限値に設定され、変調周波数が０に設定されているものとする。また、Ａ／Ｄ変換部１４の電圧値が所定電圧範囲内に収まる位置、すなわち直線性の良い位相（変調量）１ＵＩに相当する箇所が直交変調器１１の０ｄｅｇ点の原点位置として設定されているものとする。
【００３８】
この補正値取得処理では、直交変調器１１の０ｄｅｇ点（設定された原点位置）の電圧値をＡ／Ｄ変換部１４から読み取り、この読み取った０ｄｅｇ点の電圧値を記憶部１５に保存する（ＳＴ１）。続いて、直交変調器１１のＩＱ電圧を、０ｄｅｇ点から３６０ｄｅｇ点まで所定ステップ（例えば１００ｍＵＩ）ずつ可変する（ＳＴ２）。そして、直交変調器１１の３６０ｄｅｇ点の電圧値をＡ／Ｄ変換部１４から読み取り、この読み取った３６０ｄｅｇ点の電圧値を記憶部１５に保存する（ＳＴ３）。そして、０ｄｅｇ点の電圧値と３６０ｄｅｇ点の電圧値との間を補間処理により直線で結び、位相（変調量）が１周期（１ＵＩ）変化した時の理想直線を算出する（ＳＴ４）。
【００３９】
理想直線が算出されると、直交変調器１１の位相（変調量）を０．１ＵＩステップで０．１ＵＩ〜１ＵＩまで可変してＡ／Ｄ変換部１４から電圧値を取得し、取得した電圧値と、この取得した電圧値と対応する理想直線上の理想電圧との差分を補正値として算出する（ＳＴ５）。例えば１００％を補正無しとすると、取得した電圧値／理想電圧×１００％によって補正値Ｓが得られる。この算出した補正値は、記憶部１５の補正テーブルの該当するアドレスに書き込まれて保存される。
【００４０】
そして、直交変調器１１の位相（変調量）を所定ステップ（例えば０．１ＵＩステップ）で可変し、直交変調器１１の位相（変調量）を１ＵＩまで可変して全て測定したか否かを判別する（ＳＴ６）。直交変調器１１の位相（変調量）を１ＵＩまで可変して全て測定していないと判別すると、直交変調器１１の位相（変調量）を所定ステップ（例えば０．１ＵＩステップ）で可変する（ＳＴ７）。これに対し、直交変調器１１の位相（変調量）を１ＵＩまで可変して全て測定したと判別すると、全てのキャリア周波数について測定したか否かを判別する（ＳＴ８）。
【００４１】
全てのキャリア周波数について測定していないと判別すると、次のキャリア周波数に切り換える（ＳＴ９）。本例では、補正値取得処理を開始する前の操作部３の入力に基づく設定により、キャリア周波数が上限に設定されており、分解能に応じて次のキャリア周波数に切り換えられる。
【００４２】
そして、全てのキャリア周波数について測定したと判別すると、ジッタトレランス規格で規定されるパラメータ（キャリア周波数、変調量）による補正テーブルが完成して記憶部１５に保存され、補正値取得処理を終了する。
【００４３】
ここで、図３はジッタトレランス規格で規定されるパラメータグラフの一例を示している。この図３のパラメータグラフに基づく補正値取得処理を行う場合には、周波数１０Ｈｚ〜１ＭＨｚ、１ＭＨｚ〜１０ＭＨｚ、１０ＭＨｚ〜２５０ＭＨｚの３つの領域に分けて上述した図２のフローチャートの手順に基づく補正値取得処理が実行される。
【００４４】
ここで、図２のＳＴ５における補正値の算出方法について図４を参照しながら簡単に説明する。
【００４５】
図４において、補正値Ｓは、操作部３の入力により設定された変調周波数と変調量に近い４つの補正値ポイントＡ，Ｂ，Ｃ，Ｄから算出される。
【００４６】
（１）設定した変調周波数と補正値ポイントの変調周波数とが一致している場合は、補正値Ｓ＝ＡＣ（ＡＨ−ＡＳ）／（ＡＨ−ＡＬ）＋ＢＤ（ＡＳ−ＡＬ）／（ＡＨ−ＡＬ）によって算出される。
【００４７】
（２）設定した変調量と補正値ポイントの変調量とが一致している場合は、補正値Ｓ＝ＡＢ（ＦＨ−ＦＳ）／（ＦＨ−ＦＬ）＋ＣＤ（ＦＳ−ＦＬ）／（ＦＨ−ＦＬ）によって算出される。
【００４８】
（３）設定した変調周波数と補正値ポイントの変調周波数とが一致し、かつ設定した変調量と補正値ポイントの変調量とが一致している場合は、補正値Ｓ＝０となる。
【００４９】
（４）設定した変調周波数と補正値ポイントの変調周波数とが一致せず、かつ設定した変調量と補正値ポイントの変調量とが一致しない場合は、以下の手順によって補正値Ｓを算出する。
【００５０】
まず、ＡＣとＢＤを下記の式（イ），（ロ）から算出する。
ＡＣ＝Ａ（ＦＨ−ＦＳ）／（ＦＨ−ＦＬ）＋Ｃ（ＦＳ−ＦＬ）／（ＦＨ−ＦＬ）…式（イ）
ＢＤ＝Ｂ（ＦＨ−ＦＳ）／（ＦＨ−ＦＬ）＋Ｄ（ＦＳ−ＦＬ）／（ＦＨ−ＦＬ）…式（ロ）
そして、補正値Ｓは上記ＡＣとＢＤを用いて下記の式（ハ）から算出する。
補正値Ｓ＝ＡＣ（ＡＨ−ＡＳ）／（ＡＨ−ＡＬ）＋ＢＤ（ＡＳ−ＡＬ）／（ＡＨ−ＡＬ）…（ハ）
【００５１】
さらに、上記（４）の場合の補正値の算出方法の具体例について図５を参照しながら説明する。
【００５２】
まず、ＡＣとＢＤを上記式（イ），（ロ）から算出する。
ＡＣ＝９００（１００ｋ−１５ｋ）／（１００ｋ−１ｋ）＋１０５０（１５ｋ−１ｋ）／（１００ｋ−１ｋ）＝９２１
ＢＤ＝９５０（１００ｋ−１５ｋ）／（１００ｋ−１ｋ）＋１１００（１５ｋ−１ｋ）／（１００ｋ−１ｋ）＝９７１
そして、補正値Ｓは上記ＡＣとＢＤを用いて上記式（ハ）から算出する。
補正値Ｓ＝９２１（１２．８ー８）／（１２．８−６．４）＋９７１（８−６．４）／（１２．８−６．４）＝９３４
【００５３】
尚、操作部３の入力によりキャリア周波数が設定変更された場合には、上述した算出式より補正値取得しているキャリア周波数Ｆｃ１、Ｆｃ２での補正値Ｓ１、Ｓ２を求め、設定されたキャリア周波数Ｆｃｓでの補正値Ｓを下記の式（ニ）から算出する。
補正値Ｓ＝Ｓ１ー（Ｆｃ１−Ｆｃｓ）／（Ｆｃ１−Ｆｃ２）（Ｓ１−Ｓ２）…式（ニ）
【００５４】
ところで、上述した説明では、理想電圧に対する比率として補正値Ｓを算出しているが、絶対量として補正値Ｓを算出したり、図２のＳＴ５で説明するような理想電圧に対する差分として補正値Ｓを算出するようにしても良い。
【００５５】
また、直交変調器１１を用いた構成なので、原理的に位相（変調量）１ＵＩ以上の補正は必要なく、１ＵＩ以上では１ＵＩまでの補正値を流用することができる。
【００５６】
このように、本例のジッタ発生装置１によれば、補正値取得装置５が備える補正値取得機能により、初期設定後に「補正値取得モード」が選択されると、サイン波ジッタを正確に印加するために必要な補正値を従来よりも高速に自動取得することができる。
【００５７】
しかも、スペクトラムアナライザやデジタルオシロスコープ等の専用の外部測定器が不要となり、補正値の取得にかかるコストを削減でき、手間と時間をかけずに補正値の取得を行うことができる。
【００５８】
さらに、補正値取得装置５の補正値取得機能を用いれば、業者による工場出荷時や定期的な保守・点検に限らず、本装置を使用するユーザよる校正も可能となる。
【００５９】
ジッタ発生装置１に補正値取得装置５を内蔵した構成なので、操作部３のモード選択により、補正値取得処理を実行してジッタの発生を指示する「ジッタ発生モード」を選択すれば、補正値を取得しつつ、この取得した補正値により補正しながらジッタ発生を行うことができる。
【００６０】
ところで、上述した実施の形態では、直交変調器１１の０ｄｅｇ点と３６０ｄｅｇ点の２点の電圧値を取得して理想直線を算出しているが、これに限定されるものではない。すなわち、直交変調器１１のＩＱ電圧が同一電圧で、基準クロックＣＬＫの変調前と変調後の位相の差が３６０ｄｅｇになる２点の電圧値であれば良い。
【００６１】
また、補正値取得装置５は、図１に示すようなジッタ発生装置１に内蔵される構成に限定されるものではなく、別体で構成することもでき、例えば直交変調器１１のＩＱ電圧を制御して信号を遅延出力する際のスキュー設定を行う装置に利用することもできる。
【符号の説明】
【００６２】
１  ジッタ発生装置
２  基準クロック発生部
３  操作部
４  表示部
５  補正値取得装置
１１  直交変調器
１２  分周器
１２ａ  第１分周器
１２ｂ  第２分周器
１３  位相比較器
１４  Ａ／Ｄ変換部
１５  記憶部
１６  制御部
１７  Ｄ／Ａ変換部
１７ａ  Ｑ側Ｄ／Ａ変換部
１７ｂ  Ｉ側Ｄ／Ａ変換部
【図１】
2012044284.tif 000003
【図２】
2012044284.tif 000004
【図３】
2012044284.tif 000005
【図４】
2012044284.tif 000006
【図５】
2012044284.tif 000007
【図６】
2012044284.tif 000008
【図７】
2012044284.tif 000009